(57)【要約】【課題】バックライトアセンブリ及びこれを利用した液晶表示装置を提供する。【解決手段】少なくとも二つのサブ−ランプ２１０を直列配置し、サブ−ランプ２１０とサブ−ランプ２１０間には輝度不均一を減少させる輝度調節ユニット４００を設ける。これにより、液晶表示装置のスクリーンサイズに比べて短いサブ−ランプ２１０を使用することができる。短いサブ−ランプ２１０を使用することにより、サブ−ランプ２１０を点灯するに必要とする駆動電圧を低下させると同時に、消費電力も減少させることができ、輝度均一性まで大きく向上させることができる効果を有する。【選択図】　　　図１
2004055531.tif 000002
【特許請求の範囲】
【請求項１】
基底面及び前記基底面から延びる側壁を含む収納容器と、
前記基底面に配置され、互いに直列に連結され第１方向に配置された少なくとも２個のサブ−ランプを各々備えて光を発生するための複数のランプと、
前記第１方向と直交する第２方向に、前記基底面に配置され、前記サブ−ランプが互いに連結された連結部を収納するためのランプホルダーと、
前記収納容器に配置されて前記ランプから発生した前記光を拡散させるための拡散プレートとを含むことを特徴とするバックライトアセンブリ。
【請求項２】
前記ランプは、少なくとも２個が前記第１方向と平行に配置され、互いに並列に連結されたことを特徴とする請求項１に記載のバックライトアセンブリ。
【請求項３】
前記ランプホルダーは、棒形状を有するランプホルダー本体、及び前記ランプホルダー本体に形成され前記連結部を収納するランプ収納溝を含むことを特徴とする請求項１に記載のバックライトアセンブリ。
【請求項４】
前記ランプ収納溝の互いに連結された前記サブ−ランプの向き合う端部間には前記ランプの動きを制限するランプ流動防止用突出部がさらに形成されたことを特徴とする請求項３に記載のバックライトアセンブリ。
【請求項５】
前記ランプホルダーと前記基底面は接着剤により接着されることを特徴とする請求項１に記載のバックライトアセンブリ。
【請求項６】
前記基底面と向き合う前記ランプホルダーは結合突起を含み、前記基底面は前記結合突起と結合するための結合孔を含むことを特徴とする請求項１に記載のバックライトアセンブリ。
【請求項７】
前記ランプホルダーには、前記サブランプ上の輝度及び前記連結部上の輝度との間の偏差を減少させるために、前記サブ−ランプから発生した光の一部を前記連結部側に反射させる輝度調節手段がさらに設けられることを特徴とする請求項１に記載のバックライトアセンブリ。
【請求項８】
前記輝度調節手段は、
前記連結部をカバーするための第１光拡散面と、
前記第１光拡散面に連結され前記連結部をカバーし、前記第１光拡散面に対して第１角度に傾いた第２光拡散面と、
前記第１光拡散面に連結され、前記ランプホルダーに結合された第３光拡散面と、
前記第２光拡散面に連結され、前記ランプホルダーに結合された第４光拡散面とを含むことを特徴とする請求項７に記載のバックライトアセンブリ。
【請求項９】
前記第３光拡散面及び第４光拡散面のうちの前記ランプに対応する位置にはランプ収納溝が形成されたことを特徴とする請求項８に記載のバックライトアセンブリ。
【請求項１０】
前記第３光拡散面及び第４光拡散面と前記ランプホルダーとが接着剤により接着されることを特徴とする請求項８に記載のバックライトアセンブリ。
【請求項１１】
前記第１、第２、第３、第４光拡散面の内側面には前記内側面に沿ってメタルプレートが形成されたことを特徴とする請求項８に記載のバックライトアセンブリ。
【請求項１２】
前記メタルプレートの内側面には前記ランプと前記メタルプレートとの間で発生する寄生キャパシタンスを減少させるための絶縁層がさらに形成されることを特徴とする請求項１１に記載のバックライトアセンブリ。
【請求項１３】
前記サブ−ランプは、ランプ本体と、前記ランプ本体の各端部に配置された第１電極及び第２電極とを含むことを特徴とする請求項１に記載のバックライトアセンブリ。
【請求項１４】
前記サブ−ランプの前記第１電極は、はんだにより互いに連結されることを特徴とする請求項１３に記載のバックライトアセンブリ。
【請求項１５】
前記互いに連結されたサブ−ランプの各々の前記第１電極は、円筒形状を有する導電性連結部材により互いに連結されることを特徴とする請求項１３に記載のバックライトアセンブリ。
【請求項１６】
前記収納容器の基底面の端部には、前記各々のサブ−ランプの第２電極に電源を供給するために第２方向に配置された電源供給ユニットがさらに設けられることを特徴とする請求項１３に記載のバックライトアセンブリ。
【請求項１７】
前記電源供給ユニットはバンド形状を有するメタルプレート、及び前記各々のサブ−ランプの第２電極に前記電源を供給するために前記メタルプレート上に配置され、前記第２電極をグリップするグリッピングクリップを含むことを特徴とする請求項１６に記載のバックライトアセンブリ。
【請求項１８】
基底面及び前記基底面から延びる側壁を含む収納容器と、
前記基底面に配置され、互いに直列に連結され第１方向に配置された少なくとも２個のサブ−ランプを備えた、光を発生するための複数のランプであって、前記サブ−ランプが前記サブ−ランプに隣接する領域で第１輝度を有する光を発生し、前記サブ−ランプが互いに連結された連結部に隣接する領域で第２輝度を有する光を発生するように構成されている複数のランプと、
前記基底面に配置され、前記連結部を収納するためのランプホルダーと、
前記サブ−ランプの向き合う端部を固定するために、前記基底面に設けられたランプホルダーと、
前記ランプホルダーに設けられ、前記サブ−ランプから発生した光の一部を前記サブ−ランプ間の前記連結部側に反射させ、前記第１輝度及び第２輝度の偏差を減少させる輝度調節手段と、
前記収納容器に設けられて前記光を拡散させる拡散プレートと、
前記拡散プレートの上面に前記収納容器を媒介に設けられ、前記拡散された光を光透過度が調節された液晶に供給して映像をディスプレイする液晶表示パネルとを含むことを特徴とする液晶表示装置。
【請求項１９】
前記輝度調節手段は、
前記連結部をカバーするための第１光拡散面と、
前記第１光拡散面に連結され、前記連結部をカバーし、前記第１光拡散面に対して第１角度に傾いた第２光拡散面と、
前記第１光拡散面に連結され、前記ランプホルダーに結合された第３光拡散面と、
前記第２光拡散面に連結され、前記ランプホルダーに結合された第４光拡散面とを含むことを特徴とする請求項１８に記載のバックライトアセンブリ。
【請求項２０】
前記第３光拡散面及び第４光拡散面のうちの前記ランプと接触する位置には、前記ランプを収納するためのランプ結合溝が形成された　ことを特徴とする請求項１９に記載の液晶表示装置。
【請求項２１】
前記第３光拡散面及び第４光拡散面と、前記ランプホルダーとの間には前記第３光拡散面及び第４光拡散面を接着するための接着剤が塗布されたことを特徴とする請求項１９に記載の液晶表示装置。
【請求項２２】
前記第１、第２、第３、第４光拡散面の内側面は、メタルプレートで形成され、前記メタルプレートの外側には光を拡散させるための拡散プレートが形成されたことを特徴とする請求項１９に記載の液晶表示装置。
【請求項２３】
前記メタルプレートの内側面には前記ランプと前記メタルプレートの間から発生する寄生キャパシタンスを減少させための絶縁層がさらに形成されたことを特徴とする請求項２２に記載の液晶表示装置。
【発明の詳細な説明】
【０００１】
【発明の属する技術分野】
本発明はバックライトアセンブリ及びこれを利用した液晶表示装置に関するものであり、より詳細には、ランプの長さが長くなることにより発生する駆動上の問題及びランプの寿命の短縮という問題を輝度品質低下なしに解決したバックライトアセンブリ及びこれを利用した液晶表示装置に関するものである。
【０００２】
【従来の技術】
一般に、液晶表示装置（Ｌｉｑｕｉｄ　Ｃｒｙｓｔａｌ　Ｄｉｓｐｌａｙ　Ｄｅｖｉｃｅ；ＬＣＤ）は情報処理装置で発生した電気信号を映像に変更する。
【０００３】
これを具現するために、液晶表示装置は液晶制御装置及び光供給装置を必要とする。
【０００４】
液晶制御装置は、情報処理装置で発生した電気信号に対応して液晶を微小面積単位で制御する。
【０００５】
一方、光供給装置は、液晶制御装置で制御された液晶に光を供給する。
【０００６】
使用者は液晶制御装置及び光供給装置の作用により情報処理装置で発生した電気信号に対応する映像を認識することができる。
【０００７】
光供給装置は光を発生させる光源が含まれる。光源は１次光源または２次光源が使用される。
【０００８】
１次光源は、１次元（ｏｎｅ−ｄｉｍｅｎｓｉｏｎ）形態、例えば、光学分布が点又は線形態である光源である。１次光源には白熱燈のような点光源又は冷陰極線管方式ランプなどのような線光源がある。
【０００９】
２次光源は、２次元（ｔｗｏ−ｄｉｍｅｎｓｉｏｎ）形態、例えば、光学分布が面形態である光源である。２次光源には“表面が均一に光を発生し厚さがない光源”である面光源（ｓｕｒｆａｃｅ　ｌｉｇｈｔ　ｓｏｕｒｃｅ）がある。
【００１０】
光供給装置は、２次光源を使用することが最も理想的である。しかし、実際には２次光源の実現を困難にする多くの問題点を有している。
【００１１】
このような理由で、液晶表示装置の光源には主に１次光源である冷陰極線管方式ランプが使用される。
【００１２】
冷陰極線管方式ランプは寿命が長く、白色光に似ている光を発生させ、発熱量が小さく、相当に小さい直径に製作することができるという多様な長所を有する。
【００１３】
しかし、最近液晶表示装置のディスプレイ面積が段々大きくなるにつれて、従来の光供給装置で発生しなかった問題点が発生している。
【００１４】
その問題点のうちの一つは、液晶表示装置のディスプレイ面積に比例して冷陰極線管方式ランプの長さが長くなることにより発生する。
【００１５】
冷陰極線管方式ランプの長さが長くなる場合、ランプ駆動電圧が上昇する。また、上昇したランプ駆動電圧は発熱量を増加させ、消費電力量も増加させる。
【００１６】
また、冷陰極線管方式ランプの長さが長くなる場合、冷陰極線管方式ランプの自重により冷陰極線管方式ランプの垂れ又は湾曲が発生する。垂れ又は湾曲した冷陰極線管方式ランプはディスプレイ品質低下を発生させる。
【００１７】
このような問題点を克服するために、最近では冷陰極線管方式ランプを重力方向に配列する方式が開発されたことがある。
【００１８】
しかし、このように、冷陰極線管方式ランプを重力方向に立てて配置する場合、冷陰極線管方式ランプ内部の放電ガスが重力により重力方向に集中し、冷陰極線管方式ランプの寿命短縮及び輝度不均一を発生させるという問題点を有する。
【００１９】
【発明が解決しようとする課題】
本発明の目的は、大型化された液晶表示装置に適しているバックライトアセンブリを提供することにある。
【００２０】
本発明の他の目的は、増加されたディスプレイ面積でも均一な輝度、低消費電力でディスプレイを実施することができる液晶表示装置を提供することにある。
【００２１】
【発明の解決するための手段】
上述した目的を達成するための本発明は、基底面及び前記基底面から延びる側壁を含む収納容器と、前記基底面に配置され、互いに直列に連結され第１方向に配置された少なくとも２個のサブ−ランプを各々備えて光を発生するための複数のランプと、前記第１方向と直交する第２方向に前記基底面に配置され、前記サブ−ランプが互いに連結された連結部を収納するためのランプホルダーと、前記収納容器に配置されて前記ランプから発生した前記光を拡散させるための拡散プレートを含む。
【００２２】
上述した他の目的を達成するための本発明は、基底面及び前記基底面から延びる側壁を含む収納容器と、前記基底面に配置され、互いに直列に連結され第１方向に配置された少なくとも２個のサブ−ランプを備えた、光を発生するための複数のランプであって、前記サブ−ランプが前記サブ−ランプに隣接する領域で第１輝度を有する光を発生し、前記サブ−ランプが互いに連結された連結部に隣接する領域で第２輝度を有する光を発生するように構成されている複数のランプと、前記基底面に配置され、前記連結部を収納するためのランプホルダーと、前記サブ−ランプの向き合う端部を固定するために、前記基底面に設けられたランプホルダーと、前記ランプホルダーに設けられ、前記サブ−ランプから発生した光の一部を前記サブ−ランプ間の前記連結部側に反射させ、前記第１輝度及び第２輝度の偏差を減少させる輝度調節手段と、　前記収納容器に設けられて前記光を拡散させる拡散プレートと、前記拡散プレートの上面に前記収納容器を媒介に設けられ、前記拡散された光を光透過度が調節された液晶に供給して映像をディスプレイする液晶表示パネルとを含む。
【００２３】
本発明によると、直列に連結された二つ以上のサブ−ランプから発生した光によってディスプレイを行うように構成することにより、低い駆動電圧でランプを点灯することができるようにすると同時に、ランプ消費電力を低下させることができることは勿論、サブ−ランプ間で発生する暗い領域での輝度を補償して均一の輝度にディスプレイすることができる。
【００２４】
【発明の実施の形態】
以下、図面を参照して本発明の望ましい一実施形態をより詳細に説明する。
【００２５】
図１は本発明の一実施形態によるバックライトアセンブリの分解斜視図である。
【００２６】
図１に示すように、バックライトアセンブリ７００は収納容器１００、少なくとも二つのランプ２００、ランプホルダー３００及び拡散プレート５００を有する。また、本発明の一実施形態によるバックライトアセンブリは輝度調節ユニット４００をさらに含む。
【００２７】
収納容器１００は、基底面１１０及び基底面１１０のエッジから突出された側壁１２０により構成される。
【００２８】
基底面１１０は一実施形態で、四つのエッジを有する長方形形状を有する。
【００２９】
図１に示した第１方向は基底面１１０の横方向であり、第２方向は第１方向と直交する方向である。
【００３０】
側壁１２０は基底面１１０の四つのエッジから一方方向に延びられる。
【００３１】
図１で符号１１５は反射板である。
【００３２】
ランプ２００は、少なくとも二つが収納容器１００の基底面１１０に配置される。各々のランプ２００は、ランプチューブ２１１、第１電極２２０、第２電極２３０により構成されるサブ−ランプ２１０からなる。短いサブ−ランプ２１０を使用することにより、サブ−ランプ２１０を点灯するに必要とする駆動電圧を低下させると同時に、消費電力も減少させることができる。
【００３３】
図２は図１のＡ部分の円内拡大図である。
【００３４】
図２に示すように、ランプチューブ２１１はチューブ本体２１２、蛍光物質２１４及び放電ガス２１６により構成される。
【００３５】
チューブ本体２１２は両端が密封された透明なチューブ形状を有する。このチューブ本体２１２の内側面には蛍光物質２１４が薄く塗布される。蛍光物質２１４が塗布されたチューブ本体２１２の内部には所定圧力の放電ガス２１６が注入される。
【００３６】
第１電極２２０及び第２電極２３０はチューブ本体２１２の内部に位置し、第１電極２２０及び第２電極２３０にはリード線が連結される。
【００３７】
ここで、第１電極２２０及び第２電極２３０にランプチューブ２１１内部に注入された放電ガス２１６をイオン化させるに十分な電位差を有する放電電圧が印加されることにより、ランプチューブ２１１では光が発生する。
【００３８】
このような構成を有するランプ２００は、少なくとも二つのサブ−ランプ２１０が収納容器１００の基底面１１０に第１方向に直列配置される。
【００３９】
また、ランプ２００は、収納容器１００の基底面１１０に、第２方向に並列配列される。即ち、サブ−ランプ２１０は収納容器１００の基底面１１０にマトリックス状に多段配列される。
【００４０】
ここで、直列配列された２つのサブ−ランプ２１０は第１電極２２０が互いに向き合うように配置される。
【００４１】
図３は、本発明の一実施形態によるランプホルダーの外観斜視図である。
【００４２】
図３に示すように、ランプホルダー３００はランプホルダー本体３１０、ランプホルダー本体３１０に形成されたランプ収納溝３２０を含む。
【００４３】
図１又は図３に示すように、ランプホルダー本体３１０は棒形状を有し、基底面１１０に第２方向と平行な方向に設けられる。
【００４４】
図３に示すように、ランプ収納溝３２０はランプホルダー本体３１０とサブ−ランプ２１０が接触する位置ごとに形成される。
【００４５】
ランプ収納溝３２０はサブ−ランプ２１０が挿入され動かない程度の深さ及びサブ−ランプ２１０の直径と対等な幅を有する。
【００４６】
ランプ収納溝３２０に挿入されたサブ−ランプ２１０は第２方向には動くことが困難であるが、第１方向には動くことが可能である。
【００４７】
ランプ収納溝３２０には、サブ−ランプ２１０が第１方向に流動されないように、ランプ流動防止用突出部３２５がさらに形成される。
【００４８】
ランプ流動防止用突出部３２５はランプ収納溝３２０から一部を突出させることにより実現される。望ましくは、ランプ流動防止用突出部３２５の形成位置は、ランプ収納溝３２０に位置した２つのサブ−ランプ２１０の間である。
このようにランプホルダーを構成することにより、ランプホルダーは、２つのサブ−ランプ２１０が互いに連結された連結部分を収納し、固定することができる。
【００４９】
図４は本発明の一実施形態としてランプホルダーと基底面との結合状態を示した断面図である。図５は本発明の他の実施形態としてランプホルダーと基底面との結合状態を示した断面図である。
【００５０】
図４に示す実施形態では、ランプホルダー本体３１０と基底面１１０は、両面接着テープ３３０により固定することができる。
【００５１】
図５に示す実施形態としてのランプホルダー本体３１０には、少なくとも一つの結合突起３４０が形成される。基底面１１０には結合突起３４０と結合される結合溝１１２が形成される。結合突起３４０及び結合溝１１２によりランプホルダー本体３１０と基底面１１０は相互に結合される。
【００５２】
図６は、本発明の一実施形態として２つのサブ−ランプをはんだにより連結した状態を示した部分切開斜視図である。
【００５３】
図６の第１実施形態に示すように、サブ−ランプ２１０のうちの向き合う第１電極２２０のリード線は、ランプホルダー本体３１０のランプ収納溝３２０に挿入された状態ではんだ（ｓｏｌｄｅｒ）２２５によりはんだ付けされる。
【００５４】
図７は本発明の他の実施形態として２つのサブ−ランプを導電性連結部材により連結した状態を示した部分切開斜視図である。
【００５５】
図７の実施形態に示すように、サブ−ランプ２１０のうちの向き合う第１電極２２０のリード線はパイプ形状を有する導電性連結部材２６０により相互に連結される。
【００５６】
導電性連結部材２６０は、直列配列された二つのサブ−ランプ２１０のうちのいずれか一つの寿命が尽きて消灯された場合、さらに容易に消灯されたランプのみを交替することができるようにする。
【００５７】
一方、図１に示すように、サブ−ランプ２１０の第２電極２３０は、各々外部電源が印加された第１電源供給ユニット６００及び第２電源供給ユニット６５０に連結される。
【００５８】
第１電源供給ユニット６００は第２方向と平行な方向に基底面１１０に設けられる。第１電源供給ユニット６００は、帯形状を有するメタルプレート６１０及びメタルプレート６１０の一部に形成されてランプ２００の第２電極２３０のリード線をグリップする電源印加クリップ６２０により構成される。
【００５９】
第２電源供給ユニット６５０は第２方向と平行な方向に基底面１１０にランプ２００を基準に第１電源供給ユニット６００と対向するように設けられる。第２電源供給ユニット６５０は帯形状を有するメタルプレート６６０及びメタルプレート６６０に形成されてランプ２００の第２電極２３０のリード線をグリップする電源印加クリップ６７０により構成される。
【００６０】
ここで、第１電源供給ユニット６００及び第２電源供給ユニット６５０は、第１電極２２０及び第２電極２３０に所定電位差が形成されるように放電電圧を印加する。
【００６１】
ここで、サブ−ランプ２１０から光を発生させるために、第１電極２２０がはんだ又は導電性連結部材により相互に連結される。この時、ランプを点灯可能であるようにするために、はんだ又は導電性連結部材により連結された第１電極２２０には、別途の電源供給ラインがさらに連結される。この電源供給ラインは接地されたり、外部から交流電源を印加されたりすることができる。第２電極２３０はランプ２００を点灯させるために第１電源供給ユニット６００及び第２電源供給ユニット６５０から交流電源が印加される。
【００６２】
他の方法として、サブ−ランプ２１０から光を発生させるために、サブ−ランプ２１０の第１電極２２０をはんだ又は導電性連結部材により相互に連結させた状態で、第１電源供給ユニット６００及び第２電源供給ユニット６５０に１８０°位相差を有する交流放電電圧を印加する。
【００６３】
図８は、本発明の一実施形態による輝度調節ユニットの側面図である。図９は図８のＡ方向で見た輝度調節ユニットの正面図である。
【００６４】
図８又は図９に示すように、輝度調節ユニット４００は第１光拡散面４１０、第２光拡散面４２０、第３光拡散面４３０及び第４光拡散面４４０により構成される。
【００６５】
まず、第１光拡散面４１０及び第２光拡散面４２０は、直方体形状を有するプレートを基準線Ｉからαの角度を有するように折り曲げて形成される。
【００６６】
この時、第１光拡散面４１０及び第２光拡散面４２０は基準線Ｉを基準にして互いに対称の形状を有する。
【００６７】
第３光拡散面４３０は第１光拡散面４１０の一部をβの角度に折り曲げて形成され、第４光拡散面４４０は第２光拡散面４２０の一部をβの角度に折り曲げて形成される。
【００６８】
これにより、第１光拡散面４１０および第３光拡散面４３０の形状と、第２光拡散面４２０および第４光拡散面４４０の形状とが、基準線Ｉを基準にして互いに対称になっている。
【００６９】
このような形状を有する輝度調節ユニット４００は、ランプから到達した光を拡散させる。輝度調節ユニット４００は、光を拡散させることができる樹脂を所定厚さに射出成形することで形成することができる。
【００７０】
図１０は本発明の一実施形態による輝度調節ユニットの断面図である。
【００７１】
図１０に示すように、輝度調節ユニット４００は折り曲げられたメタルプレート４６０及び光拡散層４７０により構成される。
【００７２】
メタルプレート４６０は前述した図９と同一の形状を有する。
【００７３】
光拡散層４７０はメタルプレート４６０の外側面に光拡散物質をコーティングしたり、光拡散シートを付着して形成する。図面符号４８０は接着剤である。
【００７４】
また、メタルプレート４６０に光拡散層４７０を重ねて製作された輝度調節ユニット４００には、サブ−ランプ２１０とメタルプレート４６０との間で寄生キャパシタンスが形成される。この寄生キャパシタンスは消費電力を上昇させる原因として作用する。
【００７５】
絶縁層４９０は寄生キャパシタンスを減少させるためにメタルプレート４６０の後面に形成される。
【００７６】
一方、図８又は図９に示すように、輝度調節ユニット４００の第３光拡散面４３０のエッジ及び前記第４光拡散面４４０のエッジには、サブ−ランプ２１０と結合されるようにサブ−ランプ２１０の個数に応じた数の凹部分のランプ結合溝４５０が形成される。
【００７７】
このような構成を有する輝度調節ユニット４００は、サブ−ランプ２１０がランプホルダー３００に固定されるときに、ランプ結合溝４５０によってサブ−ランプ２１０を受け入れる。
【００７８】
これのために、輝度調節ユニット４００の第３光拡散面４３０及び第４光拡散面４４０とランプホルダー３００の第３及び第４拡散面４３０、４４０に接する面との間には接着剤４８０が位置し、ランプホルダー３００と輝度調節ユニット４００は接着剤４８０により接着される。
【００７９】
このように、多様な構成を有する輝度調節ユニット４００の作用を説明すると次のとおりである。
【００８０】
図１１は本発明の実施形態による、輝度調節ユニットの作用を説明するための概念図である。
【００８１】
図１１に示すように、まず、ランプ２００が全て点灯された状態では、各々のサブ−ランプ２１０の上部には第１輝度を有する光により第１輝度を有する第１領域が形成され、サブ−ランプ２１０とサブ−ランプ２１０との間の部分の上部には第１輝度より暗い第２領域が形成される。
【００８２】
従って、サブ−ランプ２１０とサブ−ランプ２１０との間の第２領域では、第１輝度と第２輝度の偏差により、使用者は第２領域が暗いことを認識することになる。
【００８３】
輝度調節ユニット４００は、第１領域から拡散されて輝度調節ユニット４００側に向かう光を反射し、第２領域に向かうようにして、第１領域での第１輝度及び第２領域での第２輝度の偏差を減少させる。
【００８４】
図１に示すように、拡散プレート５００はランプ２００で発生した光及び輝度調節ユニット４００で拡散及び反射された光を再び拡散させて、より均一な輝度の光が得られるようにする。この拡散プレート５００は収納容器１００に設けられる。
【００８５】
図１２は本発明の一実施形態による液晶表示装置の分解斜視図である。
【００８６】
図１２に示すように、液晶表示装置１０００は全体的に直方体形状であり、バックライトアセンブリ７００、液晶表示パネルアセンブリ８００及びシャーシ９００により構成される。
【００８７】
バックライトアセンブリ７００は前述したものと同一であるので、その重複された説明は省略する。
【００８８】
図１２に示すように、液晶表示パネルアセンブリ８００はＴＦＴ基板８１０、液晶（不図示）及びカラーフィルタ基板８２０により構成される。
【００８９】
ＴＦＴ基板８１０は透明な基板、例えば、ガラス基板上に複数個がマトリックス状に配列された薄膜トランジスターと、薄膜トランジスターから電源の供給を受ける画素電極とを含む。
【００９０】
カラーフィルタ基板８２０は、ＴＦＴ基板８１０と向き合うように設けられ、透明な基板、例えば、ガラス基板上に画素電極と向き合うように形成されたカラーフィルタ、カラーフィルタが覆われるようにガラス基板の全面積にわたって形成された共通電極により構成される。
【００９１】
このような構成を有するＴＦＴ基板８１０及びカラーフィルタ基板８２０はスペーサ（図示せず）及びシーラント（図示せず）などによりセルギャップが維持された状態で、その間に液晶が注入される。
【００９２】
このような構成を有する液晶表示パネルアセンブリ８００はバックライトアセンブリ７００の収納容器１００に結合される。
【００９３】
シャーシ９００は液晶表示パネルアセンブリ８００が収納容器１００から離脱しないように、液晶表示パネルアセンブリ８００の上面エッジ部分を加圧すると同時に、収納容器１００の側面に結合される。
【００９４】
以上、本発明の実施例によって詳細に説明したが、本発明はこれに限定されず、本発明が属する技術分野において通常の知識を有するものであれば本発明の思想と精神を離れることなく、本発明を修正または変更できるであろう。
【００９５】
【発明の効果】
本発明によると、複数個のサブ−ランプを直列配列し、サブ−ランプとサブ−ランプとの間で発生する輝度不均一を克服してランプの垂れや湾曲による輝度不均一を克服することができることは勿論、ランプの消費電力を減少させながら、輝度均一性をさらに向上させることができるという効果を奏する。
【図面の簡単な説明】
【図１】本発明の一実施形態によるバックライトアセンブリの分解斜視図である。
【図２】図１のＡ部分円内拡大図である。
【図３】本発明の一実施形態によるランプホルダーの外観斜視図である。
【図４】本発明の一実施形態によるランプホルダーと基底面の結合を示した断面図である。
【図５】本発明の第２実施形態によるランプホルダーと基底面の結合を示した断面図である。
【図６】本発明の第１実施形態によりサブ−ランプとサブ−ランプとをはんだで連結した状態を示した部分切開斜視図である。
【図７】本発明の第２実施形態によりサブ−ランプとサブ−ランプとを導電性連結部材により連結した状態を示した部分切開斜視図である。
【図８】本発明の一実施形態による輝度調節ユニットの側面図である。
【図９】図８のＡ方向で見た輝度調節ユニットの正面図である。
【図１０】本発明の一実施形態による輝度調節ユニットの断面図である。
【図１１】本発明の一実施形態による輝度調節ユニットの作用を説明するための概念図である。
【図１２】本発明の一実施形態による液晶表示装置の斜視図である。
【符号の説明】
１００　　収納容器
１１０　　基底面
１２０　　側壁
２００　　ランプ
２１０　　ランプチューブ
２１２　　チューブ本体
２１４　　蛍光物質
２１６　　放電ガス
２２０　　第１電極
２３０　　第２電極
３００　　ランプホルダー
３１０　　ランプホルダー本体
３２０　　ランプ収納溝
３４０　　結合突起
４００　　輝度調節ユニット
４１０　　第１光拡散面
４２０　　第２光拡散面
４３０　　第３光拡散面
４４０　　第４光拡散面
５００　　拡散プレート
６００　　第１電源供給ユニット
７００　　バックライトアセンブリ
８００　　液晶表示パネルアセンブリ
【図１】
2004055531.tif 000003
【図２】
2004055531.tif 000004
【図３】
2004055531.tif 000005
【図４】
2004055531.tif 000006
【図５】
2004055531.tif 000007
【図６】
2004055531.tif 000008
【図７】
2004055531.tif 000009
【図８】
2004055531.tif 000010
【図９】
2004055531.tif 000011
【図１０】
2004055531.tif 000012
【図１１】
2004055531.tif 000013
【図１２】
2004055531.tif 000014